(57)【要約】      （修正有）【課題】樹脂製の光硬化型インクを用いて記録を行うインクジェット記録装置において、光の照射を受けて硬化した背景画像用インクの黄ばみを防止することが可能なインクジェット記録装置を提供する。【解決手段】光硬化型インクを吐出する記録ヘッド１０と、記録媒体Ｓに吐出された光硬化型インクに光を照射する光源１３とを備えたインクジェット記録装置１において、記録ヘッド１０は、記録媒体Ｓ上に実画像部分を形成するための実画像用インクと、背景画像部分を形成するための背景画像用インクとをそれぞれ吐出し、光源１３ｂから背景画像用インクに照射される光の照射量が、光源１３ａから実画像用インクに照射される光の照射量より少なくなるように構成されている。【選択図】図２
2009056695.tif 000002
【特許請求の範囲】
【請求項１】
光硬化型インクを吐出する記録ヘッドと、記録媒体に吐出された前記光硬化型インクに光を照射する光源とを備えたインクジェット記録装置において、
前記記録ヘッドは、記録媒体上に実画像部分を形成するための前記光硬化型インクである実画像用インクと、記録媒体上に背景画像部分を形成するための前記光硬化型インクである背景画像用インクとをそれぞれ吐出し、
前記光源から前記背景画像用インクに照射される光の照射量が、前記光源から前記実画像用インクに照射される光の照射量より少なくなるように構成されていることを特徴とするインクジェット記録装置。
【請求項２】
前記記録ヘッドは、シリアルヘッド方式の記録ヘッドであり、
前記背景画像用インクを吐出する前記記録ヘッドおよび前記背景画像用インクに光を照射する前記光源が、前記実画像用インクを吐出する前記記録ヘッドおよび前記実画像用インクに光を照射する前記光源よりも記録媒体の搬送方向下流側に配置されることを特徴とする請求項１に記載のインクジェット記録装置。
【請求項３】
前記記録ヘッドは、ラインヘッド方式の記録ヘッドであり、
前記背景画像用インクを吐出する前記記録ヘッドおよび前記背景画像用インクに光を照射する前記光源が、前記実画像用インクを吐出する前記記録ヘッドおよび前記実画像用インクに光を照射する前記光源よりも記録媒体の搬送方向下流側に配置されることを特徴とする請求項１に記載のインクジェット記録装置。
【請求項４】
前記光源は、前記背景画像用インクに照射する光の照射量が前記実画像用インクに照射する光の照射量より少なくなるように照射する光の照射量が設定されていることを特徴とする請求項１から請求項３のいずれか一項に記載のインクジェット記録装置。
【請求項５】
前記光源から照射される光の照射量は、照射される光の強度を調整することにより設定されることを特徴とする請求項４に記載のインクジェット記録装置。
【請求項６】
前記光源から照射される光の照射量は、照射される光の強度と前記光硬化型インクに対する光の照射時間との積を調整することにより設定されることを特徴とする請求項４に記載のインクジェット記録装置。
【請求項７】
前記背景画像用インクは、前記実画像用インクより光に対する感度が大きくなるように調製されていることを特徴とする請求項１から請求項６のいずれか一項に記載のインクジェット記録装置。
【請求項８】
前記背景画像用インクは、白インクであることを特徴とする請求項１から請求項７のいずれか一項に記載のインクジェット記録装置。
【請求項９】
前記背景画像用インクは、透明インクであることを特徴とする請求項１から請求項７のいずれか一項に記載のインクジェット記録装置。
【請求項１０】
前記光源から照射される光は、３００ｎｍ以上にピーク波長を有する紫外線であることを特徴とする請求項１から請求項９のいずれか一項に記載のインクジェット記録装置。
【請求項１１】
前記光源は、ＬＥＤで構成されていることを特徴とする請求項１０に記載のインクジェット記録装置。
【請求項１２】
前記背景画像用インクには、増感剤としてアントラセンまたはアントラセン誘導体が添加されていることを特徴とする請求項１から請求項１１のいずれか一項に記載のインクジェット記録装置。
【発明の詳細な説明】
【技術分野】
【０００１】
本発明は、インクジェット記録装置に係り、特に、実画像部分だけでなく画像の背景部分にもインクを吐出して記録媒体に画像の記録を行うインクジェット記録装置に関する。
【背景技術】
【０００２】
紙や布帛等の通常の記録媒体のみならず、樹脂フィルムや金属類等のインク吸収性の乏しい記録媒体に対しても画像を記録することができる画像記録装置として、記録ヘッドの一端面に設けられたノズルからインクを吐出して記録媒体上に着弾させるインクジェット記録装置が開発され、現在、その技術は種々の技術分野で応用されている。
【０００３】
中でも、記録媒体上に着弾したインクに対して紫外線等の光を照射して硬化させて定着させる光硬化型のインクジェット記録装置は、高精細な画像を簡易に得ることができる記録装置として盛んに開発が進められている。従来は、紫外線等を照射する光源として高圧水銀灯等が用いられることが多かったが、近年、光源の寿命が長く、瞬時に点灯する等の利点を有する光源としてＬＥＤ（Light Emitting Diode）光源が注目されている（例えば特許文献１等参照）。
【０００４】
また、記録媒体上の実画像を形成する部分に種々の色彩の実画像用インクを吐出して実画像を形成するだけでなく、その背景画像の部分にも白色や透明の背景画像用インクを吐出して記録媒体全体に画像を形成するインクジェット記録装置が提案されている（例えば特許文献２等参照）。
【特許文献１】特開２００５−２５４５６０号公報
【特許文献２】特開２００３−２８５４２２号公報
【発明の開示】
【発明が解決しようとする課題】
【０００５】
ところで、特許文献１にも記載されているように、光硬化型のインクジェット記録装置に用いられる実画像用インクや背景画像用インクを構成するインク組成物には、通常、光重合性化合物や光開始剤、インクを着色する場合の染料や顔料等の色材等が含まれる。このようなインクは、紫外線が照射されると光重合性化合物が重合して樹脂を形成して硬化するが、紫外線を照射し過ぎると白色や透明であるべき背景画像用インクの画像部分に黄ばみを生じるという樹脂製のインク特有の現象が現れる。
【０００６】
また、インクの紫外線に対する感度を向上させるために増感剤を添加させる場合があり、特にＬＥＤ等から照射される３１５〜３８０ｎｍの比較的長い波長領域（いわゆるＵＶ−Ａ波）のピーク波長を有する紫外線を用いるような場合には、インクの長波長での感度を向上させる効果を有するアントラセン等の長波増感剤がインクに添加される場合がある。このような場合、インクの紫外線に対する感度が向上し、特に長波長の紫外線領域におけるインクの感度が増加するものの、添加したアントラセン等の濃度が大きいと、アントラセン等が多量の紫外線を吸収して黄色に変色し、本来白色や透明であるはずの画像の背景部分が黄ばんでしまう場合がある。
【０００７】
そこで、本発明は、上記のような樹脂製の光硬化型インクを用いて記録を行うインクジェット記録装置において、光の照射を受けて硬化した背景画像用インクの黄ばみを防止することが可能なインクジェット記録装置を提供することを目的とする。また、本発明は、増感剤としてアントラセンやアントラセン誘導体を用いた背景画像用の光硬化型インクが硬化後に黄ばむことを防止することが可能なインクジェット記録装置を提供することをも目的とする。
【課題を解決するための手段】
【０００８】
前記の問題を解決するために、本発明のインクジェット記録装置は、
光硬化型インクを吐出する記録ヘッドと、記録媒体に吐出された前記光硬化型インクに光を照射する光源とを備えたインクジェット記録装置において、
前記記録ヘッドは、記録媒体上に実画像部分を形成するための前記光硬化型インクである実画像用インクと、記録媒体上に背景画像部分を形成するための前記光硬化型インクである背景画像用インクとをそれぞれ吐出し、
前記光源から前記背景画像用インクに照射される光の照射量が、前記光源から前記実画像用インクに照射される光の照射量より少なくなるように構成されていることを特徴とする。
【発明の効果】
【０００９】
請求項１に記載の発明によれば、背景画像用インクに吸収される紫外線の量を抑制することができ、画像の背景部分が黄ばむことを効果的に防止することが可能となる。
【００１０】
請求項２および請求項３に記載の発明によれば、実画像用インクがそれを硬化させるための光源だけでなく背景画像用インクを硬化させるための光源からも光の照射を受けるのに対し、背景画像用インクは背景画像用インクを硬化させるための光源のみから光の照射を受けるため、結果的に、背景画像用インクに照射される光の照射量を実画像用インクに照射される光の照射量より少なくすることが可能となり、前記請求項１に記載の発明の効果を容易かつ的確に発揮させることが可能となる。
【００１１】
請求項４に記載の発明によれば、背景画像用インクに照射される光の照射量を実画像用インクに照射される光の照射量より確実に少なくすることが可能となり、前記各請求項に記載の発明の効果をより確実に発揮させることが可能となる。
【００１２】
請求項５に記載の発明によれば、光の照射量を容易に調整して的確に設定することが可能となる。
【００１３】
請求項６に記載の発明によれば、光源から照射される光の照射量は、照射される光の強度と光硬化型インクに対する光の照射時間との積で決まるから、それらの積で照射される光の強度で調整することで、光の照射量を確実に設定することが可能となる。
【００１４】
請求項７に記載の発明によれば、背景画像用インクに照射する光の照射量を実画像用インクに照射する光の照射量より少なくしても、背景画像用インクを確実に硬化させることが可能となる。
【００１５】
請求項８および請求項９に記載の発明によれば、画像の背景部分が白色や透明である場合に背景画像用インクの黄ばみが目立つが、前記各請求項に記載のインクジェット記録装置を用いれば、このような場合にも背景画像用インクにより形成される画像の背景部分の黄ばみを効果的に防止して、鮮明な画像を得ることが可能となる。
【００１６】
請求項１０および請求項１１に記載の発明によれば、いわゆるＵＶ−Ａ波の波長が比較的長い紫外線をインクに照射する場合においても、背景画像用インクの硬化と画像の背景部分の黄ばみの抑制を両立させることが可能となり、鮮明な画像を得ることが可能となる。
【００１７】
請求項１２に記載の発明によれば、背景画像用インクに増感剤としてアントラセンやアントラセン誘導体（以下、両者をあわせてアントラセン等という）を添加した場合、前述したように、多量の紫外線を照射すると、硬化したアントラセン等が多量の紫外線を吸収して黄ばんでしまうが、前記各請求項に記載のインクジェット記録装置を用いれば、増感剤としてアントラセン等が添加される場合にもアントラセン等の黄ばみを効果的に防止して、背景画像用インクにより形成される画像の背景部分の黄ばみを的確に防止することが可能となり、鮮明な画像を得ることが可能となる。
【発明を実施するための最良の形態】
【００１８】
以下、本発明に係るインクジェット記録装置の実施の形態について、図面を参照して説明する。
【００１９】
本実施形態に係るインクジェット記録装置１は、図１に示すように、支持台２に支持されたプリンタ本体３を備えており、プリンタ本体３には、記録媒体Ｓを非記録面側から支持するプラテン４が配設されている。プラテン４の図中矢印Ｙで示される副走査方向上流側および下流側には、記録媒体Ｓを搬送する図示しない搬送ローラ等がそれぞれ配設されている。搬送ローラは図示しない搬送モータにより間欠的に回転駆動されるようになっており、これにより記録媒体Ｓが所定量の移動と停止とを繰り返しながら副走査方向Ｙに搬送されるようになっている。なお、以下、副走査方向Ｙを搬送方向Ｙという。
【００２０】
プラテン４の上方には、ガイドレール５が設けられている。ガイドレール５には、略筐形のキャリッジ６が支持されており、キャリッジ６は、図示しない駆動機構によりガイドレール５に沿って図中矢印Ｘで示される主走査方向に往復移動するようになっている。また、プラテン４の主走査方向Ｘの一端側には、後述する記録ヘッド１０から吐出される実画像用インクや背景画像用インクを貯蔵するインクタンク７が格納されており、インクタンク７からフレキシブルチューブ８を介して記録ヘッド１０にインクが供給されるようになっている。また、プラテン４の主走査方向Ｘの他端側には、記録ヘッド１０をクリーニングするためのメンテナンスユニット９が設けられている。
【００２１】
キャリッジ６には、図２の概略平面図に示すように、紫外線硬化型インクを吐出する複数の記録ヘッド１０が搭載されており、各記録ヘッド１０はそれぞれ主走査方向Ｘに並設されている。
【００２２】
本実施形態では、記録媒体Ｓ上に実画像部分を形成するためのイエロー（Ｙ）やマゼンタ（Ｍ）、シアン（Ｃ）、ブラック（Ｋ）等の実画像用インクを吐出する記録ヘッド１０ａと、記録媒体Ｓ上に背景画像部分を形成するための透明インク（ＣＬ）や白インク（Ｗ）等の背景画像用インクを吐出する記録ヘッド１０ｂとが別の群をなしてそれぞれ主走査方向Ｘに並設されており、背景画像用インクを吐出する記録ヘッド１０ｂの群が、実画像用インクを吐出する記録ヘッド１０ａの群よりも記録媒体Ｓの搬送方向Ｙの下流側に配置されている。
【００２３】
なお、実画像用インクを吐出する記録ヘッド１０ａの群には、記録媒体Ｓに実画像を形成するためのインクであれば、図中に示したＹ、Ｍ、Ｃ、Ｋのプロセスカラーのほかオレンジやバイオレット、金色、銀色等の特色インク等を吐出する記録ヘッドが含まれる。また、背景画像用インクを吐出する記録ヘッド１０ｂの群には、必ずしも透明インクと白インクをそれぞれ吐出する２本の記録ヘッドを並設する必要はなく、背景画像用インクを吐出する記録ヘッド１０ｂの群を実画像用インクを吐出する記録ヘッド１０ａの群よりも記録媒体Ｓの搬送方向Ｙの下流側に配置する構成が維持される限り、各群における記録ヘッドの配置および記録ヘッドから吐出されるインクの種類は適宜設定される。
【００２４】
各記録ヘッド１０は、ガイドレール５（図１参照）に沿ったキャリッジ６の主走査方向Ｘの往復移動にあわせて記録媒体Ｓの上方を走査しながらインクを吐出するようになっている。各記録ヘッド１０の底面には、図３に示すように、ノズル面１１が形成されており、各記録ヘッド１０は、ノズル面１１がキャリッジ６の底部を貫通してプラテン４上に載置された記録媒体Ｓに対向するように配置されている。また、記録ヘッド１０のノズル面１１には、インクを吐出する図示しない複数のノズルが形成されている。
【００２５】
図示を省略するが、本実施形態では、記録ヘッド１０には各ノズルに対応して圧電素子が配設されており、圧電素子が印加される駆動電圧に応じて変形して記録ヘッド１０内部のノズルに対応する位置に形成されたインク室内のインクを加圧することでノズルからインクを吐出するように構成されている。なお、圧電素子の代わりに例えば発熱素子を用いてインク室内のインクを加圧するように構成することも可能であり、また、記録ヘッドとしていわゆるマルチドロップ方式の記録ヘッドを用いることも可能である。
【００２６】
また、本実施形態では、高精細な画像を形成するために実画像用インクを吐出する記録ヘッド１０ａのノズルは、径が小さく形成されているのに比べて、背景画像用インクを吐出する記録ヘッド１０ｂでは、背景画像では高精細であることよりもむしろ広い面積に多量のインクを吐出することが要求されるため、そのノズルは大径に形成されている。なお、ノズルの径は本実施形態に限定されない。
【００２７】
本実施形態に用いられるインクは、光を照射されると硬化する光硬化型インクであり、特に紫外線の照射により硬化する紫外線硬化型インクが好ましく用いられる。光硬化型インクには、主成分として、公知の光重合性化合物を含む光重合性化合物と、光開始剤と、実画像用インクおよび白インクには色材が含まれる。なお、インクの組成によっては光開始剤が用いられない場合もある。
【００２８】
また、本実施形態では、光硬化型インクには、増感剤として、前述したようにいわゆるＵＶ−Ａ波の波長領域を含む３００ｎｍ以上の比較的長い波長領域にピーク波長を有する紫外線に対する感度を向上させるための長波増感剤であるアントラセンやアントラセン誘導体が添加されている。そして、背景画像用インクには、実画像用インクより光に対する感度が大きくなるように実画像用インクより高濃度にアントラセン等が添加されてインクが調製されている。
【００２９】
アントラセン誘導体としては、例えば、９，１０−ジエトキシアントラセンや９，１０−ジブトキシアントラセン、２−エチル−９，１０−ジエトキシアントラセン、２−tertブチル−９，１０−ジブトシキアントラセン、２−エチル−９，１０−ビス（２エチルヘキシロキシ）アントラセン等を挙げることができる。
【００３０】
光硬化型インクは、光重合性化合物としてラジカル重合性化合物を含むラジカル重合系インクやカチオン重合性化合物を含むカチオン重合系インクが好ましく用いられ、また、ラジカル重合系インクとカチオン重合系インクとを複合させたハイブリッド型インクを用いることも可能である。なお、カチオン重合系インクであれば、酸素による重合反応の阻害作用が少なくまたは阻害作用が無く、機能性、汎用性に優れる。
【００３１】
図２や図３に示すように、並設された各記録ヘッド１０の間および主走査方向Ｘの両端の記録ヘッド１０のさらに外側には、光を照射する光照射装置１２がそれぞれ配設されている。各光照射装置１２は、記録媒体Ｓに着弾したインクに光を照射する光源１３をそれぞれ備えており、本実施形態では、各光源１３は、前述したように瞬時に点灯が可能で寿命が長い等の利点があるＬＥＤで構成されている。各光源１３を、紫外線等を照射する他の種類の光源で構成することも可能である。
【００３２】
また、背景画像用インクを吐出する記録ヘッド１０ｂの群に設けられる光照射装置１２ｂの光源１３ｂから記録媒体Ｓ上の背景画像用インクを硬化させるために照射される光の照射量が、実画像用インクを吐出する記録ヘッド１０ａの群に設けられる光照射装置１２ａの光源１３ａから記録媒体Ｓ上の実画像用インクを硬化させるために照射される光の照射量より少なくなるように、それぞれの光照射装置１２の光源１３から照射される光の照射量が設定されるようになっている。
【００３３】
本実施形態では、光源１３ａ、１３ｂから照射される光の照射量を、照射される光の強度を調整することによりそれぞれ設定するようになっている。すなわち、背景画像用インクに光を照射する光照射装置１２ｂの光源１３ｂからの光の強度が、実画像用インクに光を照射する光照射装置１２ａの光源１３ａからの光の強度よりも弱くなるように調整され設定されるようになっている。
【００３４】
なお、本実施形態では、すべての光照射装置１２ａ、１２ｂが同じ構造のＬＥＤで構成されているため、図４に示すように、光照射装置１２ａ、１２ｂの光源１３ａ、１３ｂから照射される紫外線Ｒが記録媒体Ｓ上で同一の範囲で広がり、また、光照射装置１２ａ、１２ｂはともにキャリッジ６の主走査方向Ｘの往復移動にあわせて同じ速度で移動するから、記録媒体Ｓ上に着弾したインクＩには、光源１３ａ、１３ｂから同じ時間だけ紫外線Ｒが照射される。そのため、光源１３ａ、１３ｂから照射される光の照射量を照射される光の強度で調整することができる。
【００３５】
しかし、例えば光照射装置１２ａ、１２ｂの光源１３ａ、１３ｂから照射される紫外線Ｒの記録媒体Ｓ上での広がり範囲が同一でないような場合には、記録媒体Ｓ上に着弾したインクＩに対する紫外線Ｒの照射時間が光源１３ａ、１３ｂで異なる。そのため、このような場合には、光源１３ａ、１３ｂから照射される光の照射量を照射される光の強度とインクに対する光の照射時間との積で計算し、そのようにして計算された光の照射量が光源１３ａよりも光源１３ｂの方が少なくなるように調整されて設定される。
【００３６】
また、本実施形態では、光源１３ａ、１３ｂからは、前述したいわゆるＵＶ−Ａ波の波長領域を含む３００ｎｍ以上の波長領域にピーク波長を有する紫外線が照射されるようになっている。
【００３７】
各記録ヘッド１０と各光照射装置１２の間には、光照射装置１２の光源１３から照射された光が記録媒体Ｓで反射されて記録ヘッド１０のノズル面１１に到達することを防止するための光トラップ１４がそれぞれ配設されている。なお、図３では記録媒体Ｓ側が開口された断面コ字状の光トラップ１４が示されているが、光トラップ１４は、反射光を効果的にトラップすることができる形状に適宜構成される。また、光トラップ１４は、その内面１５に光を吸収する光吸収材をコーティングするなど反射光を効果的にトラップするために内面１５が適宜処理されている。
【００３８】
次に、本実施形態に係るインクジェット記録装置１の作用について説明する。
【００３９】
インクジェット記録装置１では、画像記録時には、記録媒体Ｓが搬送ローラ等で搬送方向Ｙに搬送され、所定の記録開始位置にセットされる。そして、キャリッジ６の主走査方向Ｘへの移動が開始され、キャリッジ６の移動に伴う記録ヘッド１０の主走査方向Ｘへの走査が開始される。
【００４０】
そして、図５（Ａ）に示すように、記録ヘッド１０ａの群から実画像用インクＩａが吐出され、静止している記録媒体Ｓ上に着弾する。そして、キャリッジ６の移動に伴って着弾した実画像用インクＩａの上方に移動してきた光照射装置１２ａの光源１３ａから紫外線が照射されて実画像用インクＩａが記録媒体Ｓ上で硬化する。このようにして、まず、記録ヘッド１０ａの群から吐出されて硬化された実画像用インクＩａにより記録媒体Ｓ上に実画像が記録される。
【００４１】
続いて、キャリッジ６の主走査方向Ｘの一方向への移動或いは往復移動が終了し、記録媒体Ｓ上に所定幅の実画像が記録されると、図５（Ｂ）に示すように、記録媒体Ｓが搬送方向Ｙに所定量だけ搬送されて停止する。記録媒体Ｓ上で硬化された実画像用インクＩａも記録媒体Ｓの搬送、停止にあわせて搬送されて静止する。
【００４２】
そして、図５（Ｃ）に示すように、記録ヘッド１０ａの群からは図５（Ａ）で示した状態と同様に実画像用インクＩａが吐出され、静止している記録媒体Ｓ上に着弾し、光照射装置１２ａの光源１３ａから紫外線が照射されて記録媒体Ｓ上で硬化する。また、それと同時に、記録ヘッド１０ｂの群からは背景画像用インクＩｂが吐出され、静止している記録媒体Ｓ上に着弾して、上方に移動してきた光照射装置１２ｂの光源１３ｂから紫外線が照射されて、背景画像用インクＩｂが記録媒体Ｓ上で硬化する。
【００４３】
その際、背景画像用インクＩｂは、光照射装置１２ｂの光源１３ｂから、照射量が光源１３ａからの照射量より少ない紫外線の照射を受けるが、前述したように、背景画像用インクＩｂには、実画像用インクＩａより高濃度にアントラセン等が添加されているため、十分に記録媒体Ｓ上で硬化する。
【００４４】
また、実画像用インクＩａは、光照射装置１２ａの光源１３ａから紫外線の照射を受けた後、図５（Ｃ）に示したように、光照射装置１２ｂの光源１３ｂからも紫外線の照射を受けるため、十分に紫外線の照射を受けて記録媒体Ｓ上で硬化する。なお、記録媒体Ｓは図５（Ｃ）に示した状態の後、搬送方向Ｙのより下流側に搬送されるから、背景画像用インクＩｂは、光照射装置１２ｂの光源１３ｂから紫外線の照射を受けるだけであり、光照射装置１２ａの光源１３ａ等の他の光源からの紫外線の照射を受けることはない。
【００４５】
なお、図５（Ａ）〜（Ｃ）では、実画像用インクＩａや背景画像用インクＩｂが記録媒体Ｓ上にいわば疎らに吐出されるように記載されているが、実際には記録媒体Ｓの表面がすべてインクで被覆されるようにいわば密に吐出される。また、図５（Ａ）〜（Ｃ）では、記録ヘッド１０ａ、１０ｂのすべてのノズルからインクが吐出されるように記載されているが、インクを吐出すべきノズルから必要な量のインクが吐出されることは言うまでもない。
【００４６】
以上のように、本実施形態に係るインクジェット記録装置１によれば、背景画像用インクＩｂに照射する光の照射量を実画像用インクＩａに照射する光の照射量より少なくしたり、背景画像用インクＩｂを吐出し硬化させる記録ヘッド１０ｂや光源１３ｂを実画像用インクＩａを吐出し硬化させる記録ヘッド１０ａや光源１３ａよりも記録媒体Ｓの搬送方向Ｙの下流側に配置することで、光源１３ｂから背景画像用インクＩｂに照射される光の照射量が光源１３ａから実画像用インクＩａに照射される光の照射量より少なくなる。
【００４７】
このように構成することで、特に白色や透明に記録される画像の背景部分の背景画像用インクＩｂ中の樹脂成分や増感剤としてのアントラセン等が多量の紫外線を吸収することを防止することができ、硬化した背景画像用インクＩｂにより形成される画像の背景部分が黄ばむことを効果的に防止することが可能となる。
【００４８】
また、そのため、画像の背景部分が本来の白色や透明に維持されるため、鮮明な画像を記録することが可能となる。
【００４９】
なお、本実施形態では、光源１３ｂから背景画像用インクＩｂに照射される光の照射量が光源１３ａから実画像用インクＩａに照射される光の照射量より少なくなるように、光源１３ｂから照射される光の照射量を積極的に減らすように設定される場合について説明した。
【００５０】
しかし、前述したように、背景画像用インクＩｂを吐出し硬化させる記録ヘッド１０ｂや光源１３ｂを、実画像用インクＩａを吐出し硬化させる記録ヘッド１０ａや光源１３ａよりも記録媒体Ｓの搬送方向Ｙの下流側に配置するように構成すれば、実画像用インクＩａは光源１３ａと光源１３ｂとから光の照射を受けるのに対し、背景画像用インクＩｂは光源１３ｂのみから光の照射を受けるようになる。従って、このような場合には、例えば光源１３ａと光源１３ｂとから照射される光の照射量がそれぞれ同一の照射量となるように設定しても、結果的に、背景画像用インクＩｂに照射される光の照射量を実画像用インクＩａに照射される光の照射量より少なくすることができる。
【００５１】
また、本実施形態では、実画像用インクＩａを硬化させる光源１３ａと背景画像用インクＩａを硬化させる光源１３ｂとを別々に設ける場合について説明したが、例えば図６に示すように、記録ヘッド１０ａ側と記録ヘッド１０ｂ側にまたがる１本の光照射装置１３ｃの光源１３ｃのうち、記録ヘッド１０ｂ側の光源部分からの光の照射量が記録ヘッド１０ａ側の光源部分からの光の照射量より少なくなるように部分的に照射量を異ならせるように構成することも可能である。
【００５２】
さらに、本実施形態では、シリアルヘッド方式の記録ヘッド１０ａ、１０ｂを有するインクジェット記録装置１について説明したが、本発明は、図７に示すようなラインヘッド方式の記録ヘッド２１を有するインクジェット記録装置２０についてもまったく同様に適用することができる。
【００５３】
すなわち、図示しないプラテン上を図中矢印Ｚで示される搬送方向に搬送される記録媒体Ｓに対して、その上方に並設された記録ヘッド２１ａから実画像用インクを吐出し、記録媒体Ｓ上に着弾した実画像用インクに対して光照射装置２２ａの光源２３ａから紫外線等の光を照射する。
【００５４】
また、記録ヘッド２１ａの搬送方向Ｚ下流側に背景画像用インクを吐出する記録ヘッド２１ｂを配置し、記録ヘッド２１ｂから背景画像用インクを吐出し、記録媒体Ｓ上に着弾した背景画像用インクに対して光照射装置２２ｂの光源２３ｂから紫外線等の光を照射する。なお、記録ヘッドと光照射装置との間には、光トラップ２４がそれぞれ配設されている。
【００５５】
インクジェット記録装置２０をこのように構成すれば、光源２３ｂから背景画像用インクに照射される光の照射量を光源２３ａから実画像用インクに照射される光の照射量より少なくすることができる。また、光源２３ｂから背景画像用インクに照射される光の照射量を光源２３ａから実画像用インクに照射される光の照射量より少なくすることで、同様の効果を得ることができる。
【００５６】
そのため、このようなラインヘッド方式のインクジェット記録装置２０においても、特に白色や透明に記録される画像の背景部分の背景画像用インク中の樹脂成分や増感剤としてのアントラセン等が多量の紫外線を吸収することを防止することが可能となり、硬化した背景画像用インクにより形成される画像の背景部分が黄ばむことを効果的に防止することができる。
【図面の簡単な説明】
【００５７】
【図１】本実施形態に係るインクジェット記録装置の構成を示す斜視図である。
【図２】記録ヘッドや光照射装置等が配設されたキャリッジの概略平面図である。
【図３】図２のキャリッジの記録ヘッド等を含む部分の概略断面図である。
【図４】光照射装置の光源から照射される紫外線の範囲を説明する図である。
【図５】（Ａ）記録ヘッドから吐出され硬化される実画像用インク、（Ｂ）搬送された実画像用インク、（Ｃ）記録ヘッドから吐出され硬化される実画像用インクおよび背景画像用インクをそれぞれ説明する図である。
【図６】記録ヘッド１０ａ側と記録ヘッド１０ｂ側にまたがる光照射装置を示す図である。
【図７】ラインヘッド方式の記録ヘッドを有するインクジェット記録装置の構成を示す概略平面図である。
【符号の説明】
【００５８】
１、２０  インクジェット記録装置
１０、１０ａ、１０ｂ、２１、２１ａ、２１ｂ  記録ヘッド
１３、１３ａ、１３ｂ、２３、２３ａ、２３ｂ  光源
Ｉ    光硬化型インク
Ｉａ  実画像用インク
Ｉｂ  背景画像用インク
Ｒ    紫外線（光）
Ｓ    記録媒体
Ｙ、Ｚ  搬送方向
【図１】
2009056695.tif 000003
【図２】
2009056695.tif 000004
【図３】
2009056695.tif 000005
【図４】
2009056695.tif 000006
【図５】
2009056695.tif 000007
【図６】
2009056695.tif 000008
【図７】
2009056695.tif 000009